(57)【要約】【課題】ケープとラップフィルムという二つの用具を夫々別々に準備する手間を軽減することができる毛染め用キャップを提供する。【解決手段】頭部Ａを差込み可能な貫孔１を有する防水・気密性のシート体から成るキャップ布体２と、キャップ布体２の貫孔１の周縁部３に沿って取着された弾性紐４と、キャップ布体２の外周縁５に沿って取着された絞り緩め自在な絞り紐６と、を備える。弾性紐４を首部Ｎに配設するとともに絞り紐６を緩めて、キャップ布体２を上半身Ｕに被覆状としたケープ状態と、弾性紐４を頭部Ａの髪の毛Ｈの生え際Ｅ近傍に配設するとともにキャップ布体２を裏返して絞り紐６を頭部Ａの上方位置にて絞って、キャップ布体２を頭部Ａに封止被覆状としたキャップ状態に、切り替え可能に構成する。【選択図】図３
2015116246.tif 000002
【特許請求の範囲】
【請求項１】
頭部（Ａ）を差込み可能な貫孔（１）を有する防水・気密性のシート体から成るキャップ布体（２）と、
上記キャップ布体（２）の上記貫孔（１）の周縁部（３）に沿って取着された弾性紐（４）と、
上記キャップ布体（２）の外周縁（５）に沿って取着された絞り緩め自在な絞り紐（６）と、
を備え、
上記弾性紐（４）を首部（Ｎ）に配設するとともに上記絞り紐（６）を緩めて、上記キャップ布体（２）を上半身（Ｕ）に被覆状としたケープ状態と、上記弾性紐（４）を頭部（Ａ）の髪の毛（Ｈ）の生え際（Ｅ）近傍に配設するとともに上記キャップ布体（２）を裏返して上記絞り紐（６）を頭部（Ａ）の上方位置にて絞って、上記キャップ布体（２）を頭部（Ａ）に封止被覆状としたキャップ状態に、切り替え可能に構成したことを特徴とする毛染め用キャップ。
【発明の詳細な説明】
【技術分野】
【０００１】
本発明は、毛染め用キャップに関する。
【背景技術】
【０００２】
従来、白髪染めや、おしゃれ目的で頭髪を染色する場合、液状の毛染め剤の飛散による衣類等の汚損を防止するためのケープと称するタオルまたは防水布によって周囲の保護をすることが不可欠であった（例えば、特許文献１参照）。他方、染色するための毛染め剤を頭髪に塗布し終えた後は、毛染め剤成分の蒸散防止と毛染め剤の化学反応による発色を促す目的で、頭髪を包むようにラップフィルム等を巻きつける必要がある。
【０００３】
しかし、ケープとラップフィルムという二つの用具を夫々別々に用意しなければならず、準備に手間を必要としていた。また、一人で後頭部等の直接視認できない部分までラップフィルムでもれなく包むことは困難を要するという問題があった。さらに、ラップフィルムは市販のラップフィルムを流用する場合が多く、当然ながら毛染め目的に特化していないため、もれなく頭髪全体に巻き付けることが困難であった。そして、不完全な頭髪ラッピングを避けるための過剰なラップフィルムの消費を甘受せざるを得ないという欠点があった。
【先行技術文献】
【特許文献】
【０００４】
【特許文献１】特開２００６−６４３７号公報
【発明の概要】
【発明が解決しようとする課題】
【０００５】
解決しようとする課題は、ケープとラップフィルムという二つの用具を夫々別々に用意しなければならず、準備に手間を必要とする点である。また、一人で後頭部等の直接視認できない部分までラップフィルムでもれなく包むことは困難を要する（すなわち頭髪の封入が不十分となる）点である。さらに、ラップフィルムは市販のラップフィルムを流用する場合が多く、当然ながら毛染め目的に特化していないため、もれなく頭髪全体に巻き付けることが困難な点である。そして、不完全な頭髪ラッピングを避けるための過剰なラップフィルムの消費を甘受せざるを得ない点である。
【課題を解決するための手段】
【０００６】
そこで、本発明に係る毛染め用キャップは、頭部を差込み可能な貫孔を有する防水・気密性のシート体から成るキャップ布体と、上記キャップ布体の上記貫孔の周縁部に沿って取着された弾性紐と、上記キャップ布体の外周縁に沿って取着された絞り緩め自在な絞り紐と、を備え、上記弾性紐を首部に配設するとともに上記絞り紐を緩めて、上記キャップ布体を上半身に被覆状としたケープ状態と、上記弾性紐を頭部の髪の毛の生え際近傍に配設するとともに上記キャップ布体を裏返して上記絞り紐を頭部の上方位置にて絞って、上記キャップ布体を頭部に封止被覆状としたキャップ状態に、切り替え可能に構成したものである。
【発明の効果】
【０００７】
本発明の毛染め用キャップによれば、ケープとラップフィルムという二つの用具を夫々別々に準備する手間を軽減することができる。また、一人でも頭髪全体を容易にもれなくラッピング（包囲封止）することができる。そして、毛染め剤の臭いが飛散することを完全に防止することができる。以上より、ラップフィルムを使用した頭髪ラッピング時の作業ストレスから解放される。
【図面の簡単な説明】
【０００８】
【図１】本発明の実施の一形態を示す斜視図である。
【図２】要部拡大断面図である。
【図３】ケープ状態を示す正面図である。
【図４】使用方法を示す正面図である。
【図５】キャップ状態を示す正面図である。
【発明を実施するための形態】
【０００９】
以下、図示の実施の形態に基づいて本発明を詳説する。
図１は、本発明の実施の一形態を示す。この毛染め用キャップは、白髪染め等、頭髪（髪の毛）Ｈ（図３参照）の染色を行う際に用いられる。頭部Ａを差込み可能な貫孔１を有する防水・気密性のシート体から成る山型のキャップ布体２を備える。キャップ布体２は、例えば、ポリエチレン、ビニール、その他のプラスチック（ラミネート構造も含む）から成る。キャップ布体２の貫孔１の周縁部３に沿って取着された弾性紐４を備える。キャップ布体２の外周縁５に沿って取着された絞り緩め自在な絞り紐６を備える。図２に示すように、絞り紐６は、例えば、キャップ布体２の折返し外端縁部７に収納状に配設される。弾性紐４も、同様に、キャップ布体２の折返し内端縁部８に収納状に配設することができる（図示省略）。
【００１０】
図３に示すように、弾性紐４を首部Ｎに配設するとともに絞り紐６を緩めて、キャップ布体２を上半身Ｕに被覆状としたケープ状態と、図５に示すように、弾性紐４を頭部Ａの髪の毛Ｈの生え際Ｅ近傍に配設するとともにキャップ布体２を裏返して絞り紐６を頭部Ａの上方位置にて絞って、キャップ布体２を頭部Ａに封止被覆状としたキャップ状態に、切り替え可能に構成される。
【００１１】
次に、使用方法について説明する。まず、図３に示すように、ケープ状態として、毛染め剤Ｒを髪の毛Ｈに塗布する。キャップ布体２によって、周囲に毛染め剤Ｒが飛散することを防止することができる。その後、図４に示すように、弾性紐４が取着された貫孔１の周縁部３を、首部Ｎから頭髪Ｈの生え際Ｅまでずり上げ、外周縁５を頭頂部Ｔの上まで持ち上げる。そして、図５に示すように、絞り紐６を引き絞ることで頭部Ａの全体を封止することにより、毛染め剤Ｒの塗布された頭髪Ｈをラッピング（封入）する。ドライヤーＤにて温めることが好ましい。温度を上昇させて蒸らすことにより、均一にかつ早く発色させる（毛染めする）ことができる。なお、体温のみによっても、温度が上昇する。
【００１２】
本発明は、設計変更可能であって、例えば、キャップ布体２を自由状態で平面状とし、これをケープ状態で山型となるようにするも良い（図示省略）。
【００１３】
以上のように、本発明は、頭部Ａを差込み可能な貫孔１を有する防水・気密性のシート体から成るキャップ布体２と、キャップ布体２の貫孔１の周縁部３に沿って取着された弾性紐４と、キャップ布体２の外周縁５に沿って取着された絞り緩め自在な絞り紐６と、を備え、弾性紐４を首部Ｎに配設するとともに絞り紐６を緩めて、キャップ布体２を上半身Ｕに被覆状としたケープ状態と、弾性紐４を頭部Ａの髪の毛Ｈの生え際Ｅ近傍に配設するとともにキャップ布体２を裏返して絞り紐６を頭部Ａの上方位置にて絞って、キャップ布体２を頭部Ａに封止被覆状としたキャップ状態に、切り替え可能に構成したので、ケープとラップフィルムという二つの用具を別々に準備する手間を軽減することができる。また、一人でも頭髪Ｈ全体を容易にもれなくラッピング（包囲封止）することができる。そして、毛染め剤の臭いが飛散することを完全に防止することができる。以上より、ラップフィルムを使用した頭髪ラッピング時の作業ストレスから解放される。
【符号の説明】
【００１４】
１  貫孔
２  キャップ布体
３  周縁部
４  弾性紐
５  外周縁
６  絞り紐
Ａ  頭部
Ｅ  生え際
Ｈ  頭髪（髪の毛）
Ｎ  首部
Ｕ  上半身
【図１】
2015116246.tif 000003
【図２】
2015116246.tif 000004
【図３】
2015116246.tif 000005
【図４】
2015116246.tif 000006
【図５】
2015116246.tif 000007